(57)【要約】【課題】  放送開始から視聴開始まで、充分に時間が経過しないで、ほぼリアルタイムに近い場合でも、ＣＭをカットして再生可能な番組記録再生装置を提供する。【解決手段】放送番組の記録を行いながら、再生を行い、前記放送番組の中からＣＭをカットする番組記録再生装置において、前記放送番組の番組情報を取得する番組情報取得手段（５）と、前記記録中の放送番組から前記ＣＭを検出するＣＭ検出手段（６）と、前記放送番組中の前記ＣＭが出現する時間をデータベース化するＣＭデータ蓄積手段（７）と、前記ＣＭが出現する時間、番組終了時間、および再生開始時間に基づいて、予め定められた標準再生速度よりも遅い再生速度により、前記放送番組途中に存在するＣＭをスキップさせて前記再生を行う再生手段（８、３、９）とを有する。【選択図】      図１
2006303944.tif 000002
【特許請求の範囲】
【請求項１】
放送番組の記録を行いながら、再生を行い、前記放送番組の中からＣＭをカットする番組記録再生装置において、
前記放送番組の番組情報を取得する番組情報取得手段と、
前記記録中の放送番組から前記ＣＭを検出するＣＭ検出手段と、
前記放送番組中の前記ＣＭが出現する時間をデータベース化するＣＭデータ蓄積手段と、
前記ＣＭが出現する時間、番組終了時間、および再生開始時間に基づいて、予め定められた標準再生速度よりも遅い再生速度により、前記放送番組途中に存在するＣＭをスキップさせて前記再生を行う再生手段と、
を有することを特徴とする番組記録再生装置。
【請求項２】
放送番組の記録を行いながら、再生を行い、前記放送番組の中からＣＭをカットする番組記録再生装置において、
前記放送番組の番組情報を取得する番組情報取得手段と、
前記記録中の放送番組から前記ＣＭを検出するＣＭ検出手段と、
前記放送番組中の前記ＣＭが出現する時間をデータベース化するＣＭデータ蓄積手段と、
標準再生速度と、前記ＣＭが出現する時間、番組終了時間、および再生開始時間に基づいて設定された標準再生速度よりも遅い再生速度とにより、前記放送番組途中に存在するＣＭをスキップさせて前記再生を行う再生手段と、
前記放送番組の記録開始時間から再生開始までの時間と、前記ＣＭが出現する時間に基づいて設定された時間とを比較して、前記再生開始までの時間が、前記設定された時間よりも短い場合には、前記標準再生速度よりも遅い再生速度を選択し、長い場合には、前記標準再生速度を選択する再生速度選択手段と、
を有すること特徴とする番組記録再生装置。
【発明の詳細な説明】
【技術分野】
【０００１】
本発明は、放送番組を記録しながら再生することのできるディスク装置を用いた番組記録再生装置に関し、特にＣＭをカットしながら、放送番組をほぼリアルタイムに視聴する技術に関するものである。
【背景技術】
【０００２】
番組を視聴している時、番組内容と直接関係しないコマーシャル（以下、ＣＭと言う。）が煩わしいと感じるユーザは、少なくない。そのため、従来から、ＶＴＲなどには、録画時に、音声信号の種類によりＣＭを検出して、ＣＭ部分をカットするものもあった。
一方、ＤＶＤレコーダ、ハードディスクレコーダーなどでは、記録再生速度およびヘッドアクセス速度が早いため、記録と同時に再生することが可能となり、番組の録画中に、録画中の番組を再生して視聴するいわゆる追っかけ再生機能を持つようになった。
【０００３】
前記追っかけ再生について、図５を用いて説明する。図５は、縦軸を媒体上の記録時間、横軸を視聴経過時間として、追っかけ再生における番組の開始から終了までの記録経過、および再生経過を表したものである。同図で、記録ラインすなわち対角線より下は再生可能であるが、対角線より上はまだ記録されていない領域で再生はできない。
図５（Ａ）は、記録中の番組を、記録時と同じ再生速度で、少し遅れて追っかけながら再生する。こうすることで、たとえば、家に帰ってある番組を見ようとした時、その番組を記録しておけば、番組開始時間から少し遅れて帰宅したとしても、その録画を止めずにその番組を最初から見ることができる。図５（Ｂ）は、追っかけ再生の再生速度を所定の速度に設定すると、番組終了時にちょうど番組を見終えることも可能となることを示している。このためには、これから見ようとする番組の録画中、追っかけ再生を始める時、番組の放送残り時間とその番組の全長に基づいて、再生速度を（番組全長／放送残り時間）＊標準再生速度（以下、前記計算値を、最適再生速度という。）に設定し、コマ落としをして早見再生すればよい。図５（Ｃ）は、さらに、ＣＭをカットしながら、放送終了と視聴終了を一致させる例を示している。この場合は、前記最適再生速度で再生して、番組からＣＭが検出されると、そのＣＭ部分をスキップして、ＣＭ終了から次のＣＭ開始までの時間を番組全長、ＣＭ終了から次のＣＭ終了までの時間を放送残り時間とみなして、再度最適再生速度を計算しなおして、その最適再生速度で再生すればよい。（例えば、特許文献１参照。）
この機能を利用すれば、番組を録画し始めてから一定時間以上経過した後であれば、番組の録画済の部分に関してはＣＭ部分をスキップして再生することができる。
【特許文献１】特開２００３−１７９８４５号公報（第４頁、第４図）
【発明の開示】
【発明が解決しようとする課題】
【０００４】
しかしながら、図５（Ｄ）に示すように、放送開始から視聴開始まで、所定の時間が経過していない場合は、標準速度で再生しても、番組が終了する前に実際の放送に追いついてしまい（図５（Ｄ）の記録＝再生点参照。）、それ以降はリアルタイムに番組を見ることになるため、ＣＭをカットすることが不可能になる。
【０００５】
そこで、本発明は、上記のような問題点を解消するためになされたもので、放送開始から視聴開始まで、充分に時間が経過しないで、ほぼリアルタイムに近い場合でも、ＣＭをカットした番組の視聴可能な番組記録再生装置を提供することを目的とする。
【課題を解決するための手段】
【０００６】
本願発明における第１の発明は、  放送番組の記録を行いながら、追っかけ再生を行い、前記放送番組の中からＣＭをカットする番組記録再生装置において、前記放送番組の番組情報を取得する番組情報取得手段（番組情報取得部５）と、前記記録中の放送番組から前記ＣＭを検出するＣＭ検出手段（ＣＭ検出部６）と、前記放送番組中の前記ＣＭが出現する時間をデータベース化するＣＭデータ蓄積手段（ＣＭデータ処理部７）と、前記ＣＭが出現する時間、番組終了時間、および追っかけ再生開始時間に基づいて、予め定められた標準再生速度よりも遅い再生速度により、前記放送番組途中に存在するＣＭをスキップさせて前記追っかけ再生を行う再生手段（再生速度制御部８、映像再生部３、システムコントローラ９）とを有することを特徴とする番組記録再生装置を提供する。
第２の発明は、放送番組の記録を行いながら、追っかけ再生を行い、前記放送番組の中からＣＭをカットする番組記録再生装置において、前記放送番組の番組情報を取得する番組情報取得手段（番組情報取得部５）と、前記記録中の放送番組から前記ＣＭを検出するＣＭ検出手段（ＣＭ検出部６）と、前記放送番組中の前記ＣＭが出現する時間をデータベース化するＣＭデータ蓄積手段（ＣＭデータ処理部７）と、標準再生速度と、前記ＣＭが出現する時間、番組終了時間、および追っかけ再生開始時間に基づいて設定された標準再生速度よりも遅い再生速度とにより、前記放送番組途中に存在するＣＭをスキップさせて前記追っかけ再生を行う再生手段（再生速度制御部８、映像再生部３、システムコントローラ９）と、前記放送番組の記録開始時間から追っかけ再生開始までの時間と、前記ＣＭが出現する時間に基づいて設定された時間とを比較して、前記追っかけ再生開始までの時間が、前記設定された時間よりも短い場合には、前記標準再生速度よりも遅い再生速度を選択し、長い場合には、前記標準再生速度を選択する再生速度選択手段（システムコントローラ９）とを有すること特徴とする番組記録再生装置を提供する。
【発明の効果】
【０００７】
本発明における第１の発明によれば、放送番組の番組情報を取得する番組情報取得手段と、前記記録中の放送番組から前記ＣＭを検出するＣＭ検出手段と、前記放送番組中の前記ＣＭが出現する時間をデータベース化するＣＭデータ蓄積手段と、前記ＣＭが出現する時間、番組終了時間、および追っかけ再生開始時間に基づいて、予め定められた標準再生速度よりも遅い再生速度により、前記放送番組途中に存在するＣＭをスキップさせて前記追っかけ再生を行う再生手段とを備えており、
第２の発明によれば、前放送番組の番組情報を取得する番組情報取得手段と、前記記録中の放送番組から前記ＣＭを検出するＣＭ検出手段と、前記放送番組中の前記ＣＭが出現する時間をデータベース化するＣＭデータ蓄積手段と、標準再生速度と、前記ＣＭが出現する時間、番組終了時間、および追っかけ再生開始時間に基づいて設定された標準再生速度よりも遅い再生速度とにより、前記放送番組途中に存在するＣＭをスキップさせて前記追っかけ再生を行う再生手段と、前記放送番組の記録開始時間から追っかけ再生開始までの時間と、前記ＣＭが出現する時間に基づいて設定された時間とを比較して、前記追っかけ再生開始までの時間が、前記設定された時間よりも短い場合には、前記標準再生速度よりも遅い再生速度を選択し、長い場合には、前記標準再生速度を選択する再生速度選択手段とがあるので、
放送中の番組のＣＭを自動的にスキップして、ＣＭを気にすることなくテレビ番組を視聴することができる。さらに、通常のＨＤＤレコーダなどに過大な負担やコストをかけることなく、ＣＭカット再生機能を実装することができる。
【発明を実施するための最良の形態】
【０００８】
本発明の実施形態における番組記録再生装置について、図１〜図４を用いて説明する。
図１は、本発明の番組記録再生装置の構成を示すブロック図である。図２は、本発明におけるＣＭデータベースのＣＭデータ例を示す表である。図３は、本発明における追っかけ再生の記録再生過程を表す時間図表である。図４は、本発明におけるＣＭカット再生の主要動作を示すフローチャートである。
（実施例１）
【０００９】
本発明の番組記録再生装置は、図１に示すように、チューナー部１、映像記録部２、映像再生部３、蓄積装置４、番組情報取得部５、ＣＭ検出部６、ＣＭデータ処理部７、再生速度制御部８、およびシステムコントローラ９から構成されている。
【００１０】
番組記録再生装置は、チューナー部１でテレビ放送の放送番組を受信・復調して、映像記録部２で前記受信・復調した放送番組を蓄積装置４に記録する。
再生時は、映像信号再生部３は、再生速度メモリを持ち、この再生速度メモリに記録された再生速度により、前記蓄積装置に記録されている放送番組を読み出し、再生出力する。また後述するＣＭカット再生では、システムコントローラからのＣＭ識別時間情報により、ＣＭをカットして再生する機能、さらに可変速再生では、音声ピッチを変えることなく、所定周期のコマ繰り返しによるスロー再生を行う機能を有する。
また蓄積装置４は、例えばハードディスクから構成され、受信した番組や、番組情報、その他データをランダムアクセスして記録再生する装置で、特に放送番組は、記録と同時に再生することができる。
【００１１】
番組情報取得部５は、受信したテレビ放送のＥＰＧ（電子番組ガイド）、映像信号の垂直帰線区間などに多重されたデータなどから、番組のタイトル、開始時間、終了時間などの番組情報を抽出して、出力する。
【００１２】
ＣＭ検出部６は、受信した放送番組からＣＭ部分を検出し、ＣＭの開始時間、終了時間、およびＣＭ放送中であることを示すステータス信号を出力する。ＣＭ中であることは、番組音声がモノラルもしくは二カ国語音声の時、ＣＭは通常ステレオで放送されることを利用して検出する。また将来的には、わざわざ検出しなくても、番組情報取得部で取得したメタデータにより、ＣＭ部が識別できるものと思われる。
【００１３】
ＣＭデータ処理部７は、番組情報取得部出力の番組情報、およびＣＭ検出部出力のＣＭ時間情報を入力し、ＣＭデータとして前記蓄積装置のＣＭデータベースに登録保存する。前記ＣＭデータベースは、図２（Ａ）に示すような番組識別情報と、図２（Ｂ）に示すようなＣＭ部分の時間帯（ＣＭデータ）を、番組ごとに検索可能としたもので、この情報は、ＣＭカット視聴モードで番組視聴中に、ＣＭデータ処理部４により収集される。
また、ＣＭの時間データを正確に把握するため、同一の番組に対して、複数回のＣＭ時間データを収集し、データ処理して、ＣＭデータとするとなおよい。図２（Ｃ）に、３回のＣＭ履歴を保存して、それらＣＭデータの中から、例えばＣＭ１では、ＣＭが最も早く始まった開始時間１９：１４：００、最も遅く終わった終了時間１９：１６：００を、ＣＭデータとして採用した例を示す。
【００１４】
再生速度制御部８は、ＣＭ終了時刻および前記予め蓄積されたＣＭデータベースのＣＭデータをもとに、所定の再生速度を演算して求め、その再生速度を映像信号再生部の再生速度メモリに出力して、再生速度を制御する。
【００１５】
システムコントローラ９は、前記構成の番組記録再生装置全体の制御を行うと共に、ＣＭデータベース作成、およびＣＭカット再生の制御を行う。なお、前述した映像再生部に出力するＣＭかどうかを識別するＣＭ識別時間情報は、ＣＭ検出部からのＣＭステータス信号から作成する。
【００１６】
次に、図３に示す記録再生時間図表により、ＣＭカット再生動作を説明する。
本実施例では、毎日または毎週、同一時間帯にＣＭが入るシリーズものの番組を想定し、ユーザは、予め番組を単位としてＣＭカット再生の設定をしておき、再生開始を指示することにより視聴を開始するものとする。
【００１７】
番組が始まると、この番組を放送時間にしたがって、媒体上にそのまま記録していく。
そして、リアルタイムの視聴ため、番組が始まると同時に、ユーザが再生を開始すると、図２（Ａ）に示すように、ＣＭ０が終了した時点からわずか遅れて、前記記録中の番組を追っかけて再生する。この時の再生速度は、例えば、ＣＭ１の終了時にちょうど本編の再生が終了して、ＣＭ１がスキップできるようなスロー再生の速度に設定される。この時の最適再生速度は、下記の式により求めることができる。
最適再生速度＝（本編の長さ／ＣＭ間隔）＊標準再生速度
本編の長さ：ＣＭ終了時間から次のＣＭ開始時間までの長さ
ＣＭ間隔  ：ＣＭ終了時間から次のＣＭ終了時間までの長さ
なお、再生速度は、必ずしも放送の番組終了時に視聴も終了するように設定する必要はなく、多少前後しても、破綻を起こさなければよい。
このように、ＣＭが終了するごとに、再生速度を設定しなおして、再生して、ＣＭをスキップする過程を繰り返すことで、ＣＭをカットして番組を視聴することが可能となる。
【００１８】
また、ユーザが、放送番組が始まって少したってから再生を開始した場合は、図３（Ｂ）に示すように、単にＣＭをスキップしながら、標準再生速度で番組が終わるまで再生する。
このユーザの再生開始タイミングにより、スロー再生となるか、標準速再生となるかを決める境界は、図３（Ｂ）の破線による再生ラインで示すように、再生が記録に追いついて破綻を起こさない限界に設定する。前記境界となる基準タイミングＴｃを下記に示す。
Ｔｃ：番組中のＣＭの累積時間  （番組開始点を０とする。）
但し、累積時間は、ＣＭ中に番組が終了する場合は、最後のＣＭを除く。
【００１９】
次に、ＣＭデータの収集およびＣＭカット再生の主要動作について、図４に示すフローチャート、および表により説明する。
番組記録再生装置で、ＣＭカット視聴モードが選択されていて、番組開始が検出されると、図４（Ａ）に示す番組開始ルーチンが起動され、その番組の記録を開始する（ステップＳ１）。ユーザの再生スタートの指示を待って（ステップＳ２）、その再生開始時間を読み取り（ステップＳ３）、前記再生開始時間が所定の基準タイミングより早いか遅いかを判定して（ステップＳ４）、それぞれ次のステップに進む。
遅い場合は、標準速再生を示す標準速フラグをＯＮして（ステップＳ５）、再生速度メモリに標準再生速度をセットする（ステップＳ６）。この結果、標準速によるＣＭカット再生が開始され、番組が終了するまで再生を続ける。
早い場合は、スロー再生となるため、標準速フラグをＯＦＦし（ステップＳ７）、現在の放送内容が、ＣＭ中か、本編かを判定して（ステップＳ８）、ＣＭ中であればそのまま番組開始ルーチンから抜ける。またＣＭ中でない場合は、ＣＭ終了ルーチンのエントリー点＃１に飛ぶ。この結果、ＣＭ放送中であれば、ＣＭの終わるのを待ってＣＭカット再生を開始し、本編放送中であれば、直ちにＣＭカット再生を開始する。
【００２０】
そして、ＣＭ開始が検出されると、図４（Ｂ）に示すＣＭ開始ルーチンが起動され、ＣＭ開始時間を読み取り、一時記憶（ステップＳ９）する。
続いて、ＣＭ終了が検出されると、図４（Ｃ）に示すＣＭ終了ルーチンが起動されて、ＣＭ終了時間を読み取り一時記憶（ステップＳ１０）され、前記一時記憶したＣＭ開始時間、終了時間を、ＣＭ回数を＋１して、図４（Ｅ）に示すようなＣＭデータ一時メモリに書き込み（ステップＳ１１）、この回のＣＭデータを収集する。
そして、標準速フラグをチェックして（ステップＳ１２）、ＯＮすなわち標準速によるＣＭカット再生の場合にはそのまま何もしないでＣＭ終了ルーチンを終了する。ＯＦＦの場合には、ＣＭデータベースに記憶された次のＣＭデータおよび前記一時記憶したＣＭ終了時間（現在時刻）から、前記した最適再生速度を演算して求め、再生速度メモリに書き込み（ステップＳ１３）、次のＣＭ終了までのスロー再生によるＣＭカット再生を開始して、ＣＭ終了ルーチンを終了する。
【００２１】
そして、番組が終了すると、ＣＭデータ一時メモリに記録されたＣＭデータをＣＭデータベースに登録して、ＣＭカット視聴モードを終了する（ステップＳ１４）。
以上のように、番組開始ルーチンにより、標準速再生によるＣＭスキップ再生を行い、ＣＭ終了ルーチンにより、ＣＭごとにスロー再生によるＣＭスキップ再生を行う。さらに、ＣＭ開始ルーチンおよび終了ルーチンにより、ＣＭごとのＣＭデータを収集して、番組終了ルーチンにより、ＣＭデータベースに登録するもので、標準速再生、スロー再生どちらの場合にも、ＣＭデータベース作成しながら、ＣＭカット再生が可能となる。
【００２２】
以上のように、本発明によれば、上記した構成があるので、放送中の番組のＣＭを自動的にカットして、ＣＭを気にすることなくテレビ番組を視聴することができる。また、この時の番組内のＣＭ比率は、通常１０％前後であり、この程度の再生速度の変動であれば特に違和感なく番組を視聴できる。
また、放送を視聴しながらリアルタイムにＣＭをカットする機能は、これまで存在していないが、本発明によれば、通常のＨＤＤレコーダなどに過大な負担やコストをかけることなく実装が可能となる。
【００２３】
なお、スロー再生によるCMカット再生について、本実施例では、各ＣＭが終了するごとに再生速度を変えるとして説明を行ったが、ＣＭが実質的に、等間隔で発生し、かつＣＭ長が一定であれば、最適再生速度は番組単位に演算し、番組全体をその再生速度として、ＣＭスキップするだけでよい。
また、以上に述べたＣＭデータは、それぞればらつきを持っているため、途中で再生するデータが無くなるような破綻を起こさぬよう、再生開始時間を遅らす、再生速度を遅くするなど、余裕を持たせることが必要である。
【図面の簡単な説明】
【００２４】
【図１】本発明の番組記録再生装置の構成を示すブロック図である。
【図２】本発明におけるＣＭデータベースのデータ例を示す表である。
【図３】本発明における追っかけ再生の記録再生過程を表す時間図表である。
【図４】本発明におけるＣＭカット再生の主要動作を示すフローチャートである。
【図５】従来の追っかけ再生の記録再生過程を表す時間図表である。
【符号の説明】
【００２５】
１  チューナー部、２  映像記録部、３  映像再生部、４  蓄積装置、５  番組情報取得部、６  ＣＭ 検出部、７  ＣＭ データ処理部、８  再生速度制御部、９  システムコントローラ
【図１】
2006303944.tif 000003
【図２】
2006303944.tif 000004
【図３】
2006303944.tif 000005
【図４】
2006303944.tif 000006
【図５】
2006303944.tif 000007